(57)【要約】【課題】  低回転で高負荷が加わる条件下であっても、発熱による軸受の焼け付きを防止することができる、簡単な構成の軸受の保持器を提供すること。【解決手段】  軸受の保持器３の、隣り合う保持部３ａの間には各々、内輪１の軸方向に対して所定角度α傾斜した直線方向に、保持器３の両側端部にわたって、潤滑油を誘導するための潤滑誘導部が設けられており、この潤滑誘導部は、保持器３の両側端部を貫通するように形成された管状孔３ｂ、あるいは、保持器３の外周面に形成された溝３ｃ(又は突起３ｄ)である。【選択図】      図１  
2005321047.tif 000002
【特許請求の範囲】
【請求項１】
外輪と内輪の間に、複数の転動体をその保持部にて保持するために介在する、軸受の保持器において、
前記保持器の、隣り合う前記保持部の間には各々、前記内輪の軸方向に対して所定角度傾斜した直線方向に、当該保持器の両側端部にわたって、潤滑油を誘導するための潤滑誘導部が設けられていることを特徴とする軸受の保持器。
【請求項２】
前記潤滑誘導部は、前記保持器の両側端部を貫通するように形成された管状孔であることを特徴とする請求項１記載の軸受の保持器。
【請求項３】
前記潤滑誘導部は、前記保持器の外周面に形成された溝であることを特徴とする請求項１記載の軸受の保持器。
【請求項４】
前記潤滑誘導部は、前記保持器の外周面に形成された突起であることを特徴とする請求項１記載の軸受の保持器。
【発明の詳細な説明】
【技術分野】
【０００１】
本発明は、潤滑油を用いる軸受に関し、特に、低回転で高負荷が加わる条件下で使用される軸受の保持器に関するものである。
【背景技術】
【０００２】
自動車、建設機械、農業機械等のトランスミッションのカウンタシャフトやメインシャフト用の支持軸受、トランスファ用支持軸受等は、軸受の中でも最重要なものであり、このためこれらの軸受等に使用される潤滑油は歯車によるはね上げ方式や強制循環により供給される。
【０００３】
潤滑油を上記何れかの方式で供給することによってトランスミッションの回転使用時に生じるギヤの鉄粉、磨耗粉、等が潤滑油に混入したものを軸受外部に排出し、潤滑状態を良好に保持するようにしている。
【０００４】
この軸受の潤滑状態を改善する対策として、軸受外輪の側面に油穴を設け、供給される潤滑油を一方の油穴から入れ、軸受内部の磨耗粉等と共に他側の油穴から排出するものや、特許文献１に示されているように、保持器の柱部の中間付近の凹部に、羽根を軸中心線に対して所定角度斜めにして設け、これを流れ発生手段として保持器スペース内に潤滑油の流れを発生させ、内部の磨耗粉等を外部へ排出するものが知られている。
【特許文献１】特開平８-１７７８６９号公報
【発明の開示】
【発明が解決しようとする課題】
【０００５】
しかしながら、上記従来の軸受の保持器においては、油穴あるいは傾斜した羽根を採用しても、低回転でしかも大きな荷重が加わる条件下では、軸受の内部に潤滑油を供給する流れができにくく、潤滑油の不足によって発熱が発生し、軸受が焼け付きに至るという問題点があった。
【０００６】
本発明は、上述した従来例の有する不都合を改善し、低回転で高負荷が加わる条件下であっても、発熱による軸受の焼け付きを防止することができる、簡単な構成の軸受の保持器を提供することを課題としている。
【課題を解決するための手段】
【０００７】
上記課題を達成するために、本発明では、外輪と内輪の間に、複数の転動体をその保持部にて保持するために介在する、軸受の保持器において、前記保持器の、隣り合う前記保持部の間には各々、前記内輪の軸方向に対して所定角度傾斜した直線方向に、当該保持器の両側端部にわたって、潤滑油を誘導するための潤滑誘導部が設けられており、この潤滑誘導部は、前記保持器の両側端部を貫通するように形成された管状孔、あるいは、前記保持器の外周面に形成された溝(又は突起)であることを特徴としている。
【発明の効果】
【０００８】
本発明によれば、軸受が低速回転の状態で、これに大きな負荷が加わる条件下であっても、保持器の潤滑誘導部によるポンプ作用により、潤滑油が軸受内に侵入し易くなっているので、潤滑油が軸受内に十分に供給されて、潤滑油不足による発熱が抑えられ、軸受に焼け付きが発生するのを極力防止することができる。
【発明を実施するための最良の形態】
【０００９】
本発明の実施形態を図面に基づいて説明する。
【００１０】
図１は本発明の第１の実施形態を示す保持器の部分斜視図、図２は本発明の第１の実施形態を示す軸受の全体部分断面図である。  
【００１１】
図２において、外輪２と内輪１との間に、転動体である複数の玉４が保持器３の保持部である玉保持孔３ａに転動自在に保持された状態で介在している。この保持器３は金属を打抜き加工により成形したものである。
【００１２】
この保持器３には、図１に示すように、隣り合う玉保持孔３ａの間に各々、内輪１の軸方向(一点鎖線)より所定角度αだけ傾斜した直線方向（回転方向Ａに直交する方向より所定角度α傾斜した方向）に、潤滑油を誘導するための潤滑誘導部である管状孔３ｂが設けられている。この管状孔３ｂは保持器３の両側端部を貫通するように形成されている。
【００１３】
図３は、図１の保持器の回転時の潤滑油の流れを示す説明図である。
【００１４】
上記の構成において、内輪１と外輪２の何れかが回転して、図３に示すように、保持器３が矢印Ａ1の方向に回転したとすると、図中、軸受左側外部の周囲にある潤滑油の一部が管状孔３ｂ内に誘い込まれて、矢印Ｂの方向に流れるようになる。この流れが一種のポンプ作用を与え、軸受左側外部の周囲にある潤滑油がこの流れに誘われて一点鎖線矢印の方向に流れ、軸受内の各玉４付近に潤滑油が供給される。
【００１５】
一方、保持器３が矢印Ａ１とは逆の矢印Ａ２方向に回転した場合は、潤滑油は上記ポンプ作用により上記の流れとは逆方向に流れるようになり、軸受右側外部の周囲にある潤滑油が軸受内に供給されるようになる。
【００１６】
したがって、保持器３の管状孔３ｂによるポンプ作用により、軸受外部の周囲にある潤滑油が軸受内に誘導されて侵入し易くなっているので、軸受が低速回転の状態で、これに大きな負荷が加わる条件下であっても、潤滑油が軸受内に十分に供給されて、潤滑油不足による発熱を抑えることができ、軸受の焼け付きを極力防止することができる。
【００１７】
尚、この実施形態では、保持器３は打ち抜き型の金属製のものについて説明したが、合成樹脂製の保持器や削り加工のもみ抜き型の保持器にも適用できることは言うまでもない。
【００１８】
図４は本発明の第２の実施形態を示す軸受の保持器の部分斜視図である。
【００１９】
次に、第２の実施形態について図４を参照して説明する。この実施形態は、上記第１の実施形態と略同様であって、同一部材には同一番号を付しており、重複する説明は省略する。異なっているのは、管状孔３ｂの代わりに、潤滑誘導部として断面が凹形状の誘導溝３ｃが、保持器３の外周面にその両側端部にわたって形成されている点である。
【００２０】
この構成においても、図３に示した場合と同様に、保持器３が、例えば矢印Ａ１の方向に回転したとすると、軸受左側外部の周囲にある潤滑油の一部が誘導溝３ｃ内に誘い込まれて、矢印Ｂの方向に流れるようになる。この流れが一種のポンプ作用を与えるので、軸受左側外部の周囲にある潤滑油がこの流れに誘われての一点鎖線矢印の方向に流れ、軸受内の各玉４付近に潤滑油が供給され易くなる。
【００２１】
したがって、この第２の実施形態においても、第１の実施形態と同様の効果を期待することができる。
【００２２】
図５は本発明の第３の実施形態を示す軸受の保持器の部分斜視図である。
【００２３】
さらに、第３の実施形態について図５を参照して説明する。この実施形態は、上記第１の実施形態と略同様であって、同一部材には同一番号を付しており、重複する説明は省略する。異なっているのは、管状孔３ｂの代わりに、潤滑誘導部として断面が凸形状の誘導突起３ｄが、保持器３の外周面にその両側端部にわたって形成されている点である。
【００２４】
この構成においても、図３に示した場合と同様に、保持器３が、例えば矢印Ａ1の方向に回転したとすると、軸受左側外部の周囲にある潤滑油の一部が誘導突起３ｄに押されて誘導されることにより、矢印Ｂの方向に流れるようになる。この流れが一種のポンプ作用を与えるため、軸受左側外部の周囲にある潤滑油がこの流れに誘われての一点鎖線矢印の方向に流れ、軸受内の各玉４付近に潤滑油が供給され易くなる。したがって、この第３の実施形態においても、第１の実施形態と同様の効果を期待することができる。
【図面の簡単な説明】
【００２５】
【図１】第１の実施形態を示す保持器の部分斜視図である。
【図２】本発明の第１の実施形態を示す軸受の全体部分断面図である。
【図３】図１の保持器の回転時の潤滑油の流れを示す説明図である。
【図４】本発明の第２の実施形態を示す軸受の保持器の部分斜視図である。
【図５】本発明の第３の実施形態を示す軸受の保持器の部分斜視図である。
【符号の説明】
【００２６】
１：内輪 
２：外輪
３：保持器
３ａ：玉保持孔 (保持部) 
３ｂ：管状孔
３ｃ：誘導溝(溝)
３ｄ：誘導突起(突起)
４：玉(転動体)
【図１】
2005321047.tif 000003
【図２】
2005321047.tif 000004
【図３】
2005321047.tif 000005
【図４】
2005321047.tif 000006
【図５】
2005321047.tif 000007